(57)【要約】【課題】遠赤外線の効果を多く得ることができるようにして使用者の安眠促進や健康増進に寄与する枕カバーを提供する。【解決手段】この枕カバー１は、柔軟な枕カバー本体２と、結晶構造の炭素焼成体からなる複数の珠３、３、・・・と、を備え、複数の珠３、３、・・・は、各々貫通孔３１が形成され、枕カバー本体２の表面に貫通孔３１を通した縫い糸３２で縫着されている。複数の珠３、３、・・・を頭部に接するようにして、使用者が受ける遠赤外線の量を多くする。【選択図】図１
2008307191.tif 000002
【特許請求の範囲】
【請求項１】
柔軟な枕カバー本体と、
炭素焼成体からなる複数の珠と、を備え、
該複数の珠は、各々貫通孔が形成され、前記枕カバー本体の表面に貫通孔を通した縫い糸で縫着されていることを特徴とする枕カバー。
【請求項２】
請求項１に記載された枕カバーにおいて、
前記炭素焼成体は、炭素粉にバインダを加えて成形した塊を酸素が欠乏した状態で加熱し、バインダを揮発させて焼成したものであることを特徴とする枕カバー。
【請求項３】
請求項１又は２に記載された枕カバーにおいて、
前記炭素焼成体はポーラス状であることを特徴とする枕カバー。
【請求項４】
請求項３に記載された枕カバーにおいて、
前記炭素焼成体は銀を含有することを特徴とする枕カバー。
【請求項５】
請求項３又は４に記載された枕カバーにおいて、
前記炭素焼成体はフタロシアニンを含有することを特徴とする枕カバー。
【発明の詳細な説明】
【技術分野】
【０００１】
本発明は、安眠促進や健康増進に寄与する枕カバーに関する。
【背景技術】
【０００２】
従来より、炭素材が有する性質に着目して、これを枕カバーなどに用いることが種々提案されている。例えば、特許文献１には、吸放湿性や脱臭性の機能を有するとする木炭担持シートを設け、使用者の身体や衣服が木炭によって汚れないようにそのシートの表面にメッシュ表地を配置した枕カバーが記載されている。また、特許文献２には、消臭機能、脱臭機能及び遠赤外線放射機能を有するとする炭素繊維と、炭素繊維の破壊を防止するためにそれを覆う不織布と、更にそれらを覆う生地と、からなる炭素繊維入りシートに通常の枕カバーを被せた枕が記載されている。
【０００３】
【特許文献１】特開２００１―２８６３６９号公報
【特許文献２】実用新案登録第３０９５１１２号公報
【発明の開示】
【発明が解決しようとする課題】
【０００４】
しかし、特許文献１、２では、木炭や炭素繊維は物理的強度が高くはないため、それらと使用者の身体の間には必ず柔軟な他の素材（メッシュ表地、不織布、生地など）を介在させている。そのため、炭素材（木炭、炭素繊維）と身体の間の距離が長くなり、安眠促進や健康増進などの遠赤外線による効果を得るという観点からは望ましくはなかった。
【０００５】
本発明は係る事由に鑑みてなされたものであり、その目的は、遠赤外線の効果を多く得ることができるようにして使用者の安眠促進や健康増進に寄与する枕カバーを提供することにある。
【課題を解決するための手段】
【０００６】
上記目的を達成するために、請求項１に記載の枕カバーは、柔軟な枕カバー本体と、炭素焼成体からなる複数の珠と、を備え、該複数の珠は、各々貫通孔が形成され、前記枕カバー本体の表面に貫通孔を通した縫い糸で縫着されていることを特徴とする。
【０００７】
請求項２に記載の枕カバーは、請求項１に記載された枕カバーにおいて、前記炭素焼成体は、炭素粉にバインダを加えて成形した塊を酸素が欠乏した状態で加熱し、バインダを揮発させて焼成したものであることを特徴とする。
【０００８】
請求項３に記載の枕カバーは、請求項１又は２に記載された枕カバーにおいて、前記炭素焼成体はポーラス状であることを特徴とする。
【０００９】
請求項４に記載の枕カバーは、請求項３に記載された枕カバーにおいて、前記炭素焼成体は銀を含有することを特徴とする。
【００１０】
請求項５に記載の枕カバーは、請求項３又は４に記載された枕カバーにおいて、前記炭素焼成体はフタロシアニンを含有することを特徴とする。
【発明の効果】
【００１１】
本発明の枕カバーによれば、枕カバー本体の表面に設けられる遠赤外線を放射する炭素焼成体の複数の珠が使用者の身体に接することができるので、より遠赤外線の効果を得ることが可能になる。
【発明を実施するための最良の形態】
【００１２】
以下、本発明を実施するための最良の形態を図面を参照しながら説明する。図１は本発明の実施形態に係る枕カバー１の正面図、図２はその使用状態を表す斜視図である。この枕カバー１は、枕４に接して装着する枕カバー本体２と、使用者の頭部に当設するよう枕カバー本体２の表面に縫着された複数の珠３、３、・・・と、からなる。
【００１３】
枕カバー本体２は、綿素材の１枚布などを用いた柔軟な通常のものであり、例えば、枕４に巻きつけて両端の紐２１、２１、・・・を互いに結び合わせることにより装着する。枕カバー本体２の素材は、後述のように縫い糸３２が通るものならば、綿以外に、好みなどに応じて他の素材（例えば、い草、ポリエステル等）とすることができる。また、紐２１、２１、・・・ではなく、面ファスナー、ホック、ボタンなどの他の連結手段を用いてもよい。枕カバー１は、枕４に着脱可能に装着されるものが洗濯のし易さの点で望ましいが、着脱可能でなくても構わない。なお、枕４は、単体であっても椅子の背もたれなどに付随しているものであっても構わない。
【００１４】
珠３は、使用感などから適切な形状、大きさ、並べる間隔などが決められる。珠３の形状は、欠け難くするために、全体の表面が曲面であるのが望ましく、例えば球形、紡錘形、又は碁石形である。本実施形態では、球形であり、直径は約５ｍｍである。
【００１５】
珠３には、図３の断面拡大図に示すように、中心を通る貫通孔３１が形成されており、この貫通孔３１に縫い糸３２が通され、枕カバー本体２の表面に珠３が縫着される。縫い糸３２の素材（例えば、綿、ポリエステル等）や縫着のための縢り方は限定されない。複数の珠３、３、・・・は、例えば、互いの間隔を約５ｍｍとし、横約１６ｃｍ、縦約６ｃｍの領域に並べて縫着される。また、枕カバー本体２は、洗濯のし易さなどのために、複数の珠３、３、・・・が縫着された部分が分離できるようにすることも可能である。
【００１６】
珠３は炭素焼成体からなり、炭素焼成体は高密度で整った結晶構造を成すことで全体が一体化している。珠３は、以下のようにして製造することができる。すなわち、黒鉛、又は竹炭などの炭化物の炭素粉にフェノール系接着剤、ピッチ又はタールなどのバインダを５重量％程度加えて固め、所定の塊（例えば方形もの）に加圧成形する。そして、酸素が欠乏した状態で加熱し、２０００〜３０００℃程度で焼成する。この状態で、原料の炭素粉同士は結合し全体が結晶化（黒鉛化）する。なお、フェノール成分、ピッチ又はタールは昇温途中の約１２００℃程度で揮発している。その後、加熱を止め、珠３の形状に加工する。この炭素焼成体は、バインダが揮発しているので、ほぼ１００％（９９％以上）が炭素材となっている。
【００１７】
珠３の炭素焼成体はほぼ１００％が炭素材であるので、外部の熱や光などの形で吸収したエネルギーにより多量の遠赤外線を放射する。その上、炭素焼成体全体が結晶構造で結合しているために、炭素材でありながら物理的強度が高い。それゆえ、珠３は、使用者の頭部により大きな圧力を受けたり頭部、縫い糸３２、或いは他の珠３と擦れ合ったりしても、又は、不意に硬い物が衝突しても、破損や摩耗がし難い。また、炭素材は、人体を形成する有機物の構成物質と同じであるため安全性が高い。
【００１８】
珠３の表面は、細かな摩耗や欠損を防止するために、水性アクリル等でコーティングするのが望ましい。炭素焼成体は黒色であり、そのままでも十分に装飾性を有するが、コーティングにより光沢の有無、着色なども可能である。
【００１９】
珠３の炭素焼成体は、ポーラス状とすることも可能である。ポーラス状の炭素焼成体３は、炭化物自体ほどではないが、多くの空隙を有する（多孔質である）。具体的には、原料の炭素粉にバインダを加えて固めるときに、繊維状又は粒子の集合状にすることでポーラス状とすることができる。
【００２０】
ポーラス状の炭素焼成体は、汗自体や汗の臭い、部屋の臭い等を吸着（脱臭作用）することができ、安眠促進に寄与する。なお、ポーラス状の炭素焼成体は、ポーラス状でないものよりも若干物理的強度が低い。しかし、珠３として有すべき前述の物理的強度は十分に有している。
【００２１】
ポーラス状の炭素焼成体は、銀を含有する（例えば約１重量％）ことが望ましい。人間の汗の臭いは、主に、雑菌が汗を分解することにより生じることが知られている。銀は、その抗菌作用により雑菌を抑えて吸着した汗から臭いが生じるのを防止することができる。また、炭素焼成体の表面の銀が皮膚の雑菌に対して直接抗菌作用を及ぼす効果もある。なお、銀は、溶液に溶解又は分散させ、含浸させることにより炭素焼成体に含ませることができる。
【００２２】
また、ポーラス状の炭素焼成体は、フタロシアニンを含有する（例えば約１重量％）のが望ましい。フタロシアニンは、臭いの成分の酸化反応を触媒することで、消臭作用を発揮する。炭素焼成体は、フタロシアニンを含有することで、空隙に吸着した臭いの成分を別の物質に変えることができるので、脱臭作用の飽和を防ぎつつ、それに加えて消臭作用も奏することができる。このフタロシアニンは、常温でもよく反応し、サイクル反応を行うので寿命が長い。これにより、長い期間、脱臭機能を維持することができる。なお、フタロシアニンは、例えば金属フタロシアニンポリカルボン酸（具体的には、テトラカルボン酸コバルトフタロシアニン、テトラカルボン酸鉄フタロシアニン、オクタカルボン酸コバルトフタロシアニン、又はオクタカルボン酸鉄フタロシアニン等）などの化合物として存在する。また、フタロシアニンの化合物は、溶液に溶解又は分散させ、含浸させることにより炭素焼成体に含ませることができる。
【００２３】
なお、珠３、３、・・・のいくつかをポーラス状の炭素焼成体とし、残りをポーラス状でない炭素焼成体とすることも可能である。
【００２４】
次に、枕カバー１の作用について説明する。枕４に枕カバー１を装着し、複数の珠３、３、・・・が並ぶ領域に使用者の頭部（例えば、外後頭隆起からえり足の部分）を当接する。複数の珠３、３、・・・は遠赤外線を放射し、それらは頭部に接するため、使用者が受ける遠赤外線の量は非常に多い。また、使用者の体温によって複数の珠３、３、・・・が温まることで、遠赤外線の放射量は増加する。遠赤外線は、使用者の皮下組織、血管などに作用し、血液循環が促進されるなどして安眠促進や健康増進の効果が得られる。
【００２５】
複数の珠３、３、・・・は、互いに間隔を置いて柔軟な枕カバー本体２の表面に縫着されているので、珠３が硬質でありながら、枕カバー１全体としての柔軟性が保たれる。それにより、使用者の姿勢が変わっても複数の珠３、３、・・・が良好に頭部に接することが可能になる。また、珠３は、縫い糸３２で枕カバー本体２に縫着され結合されているので、比較的自由に動き易い。それにより、使用者の皮膚や髪の動きに追従し易いため、摩擦が発生し難くそれの不快感を低減することができる。また、珠３をポーラス状の炭素焼成体にしたり、それに銀やフタロシアニンを含有させたりすると、上記説明した効果が得られる。
【００２６】
以上、本発明の実施形態に係る枕カバー１について説明したが、本発明は、実施形態に記載したものに限られることなく、特許請求の範囲に記載した事項の範囲内でのさまざまな設計変更が可能である。
【図面の簡単な説明】
【００２７】
【図１】本発明の実施形態に係る枕カバーの正面図である。
【図２】同上の枕カバーの使用状態を示す斜視図である。
【図３】同上の珠の断面拡大図である。
【符号の説明】
【００２８】
１    枕カバー
２    枕カバー本体  
３    珠
３１  貫通孔
３２  縫い糸
【図１】
2008307191.tif 000003
【図２】
2008307191.tif 000004
【図３】
2008307191.tif 000005